(57)【要約】      （修正有）【課題】デジタル／アナログ音声信号を、信号入力の有無によって切り替えた場合でも、切り替え時にスイッチングノイズや無音状態が生じることのない、ＡＶスイッチャーを提供する。【解決手段】ＡＶスイッチャーの入力部７は、デジタル映像・音声入力端子９及びアナログ音声入力端子１０を有し、それらの端子に音声信号が入力された場合に、それらを検出して検出結果を出力することが出来る音声入力検出部１１を有し、デジタル音声信号とアナログ音声信号のいずれかの音声信号に対してミューティング処理を行って、他の音声信号に対してはミューティング処理を行わずに出力するミューティング制御部１２と、その出力音声信号を合成して合成音声信号としてスイッチング制御部に出力する音声合成部１５を有し、音声入力検出部１１が検出した音声信号以外の音声信号を、ミューティング処理して音声合成部に出力する。【選択図】図２
2014017722.tif 000002
【特許請求の範囲】
【請求項１】
複数の映像・音声ソースと一つまたは複数の映像・音声出力機器の間に出力ケーブル及び入力ケーブルを介して接続配置され、内蔵されたスイッチング制御部を介して前記映像・音声ソースと映像・音声出力機器を選択的に接続し、前記映像・音声ソースから映像・音声出力機器に対して映像及び音声信号を出力することが出来るＡＶスイッチャーにおいて、
前記ＡＶスイッチャーは、
前記映像・音声ソースが前記入力ケーブルを介して接続される入力部を、複数有し、
前記入力部は、前記入力ケーブルを接続することの出来るデジタル映像・音声入力端子及びアナログ音声入力端子を有し、
前記デジタル映像・音声入力端子及びアナログ音声入力端子には、それらのいずれかの端子にデジタル音声信号又はアナログ音声信号が入力された場合に、それらを検出して検出結果を出力することが出来る音声入力検出部が接続されており、
前記デジタル映像・音声入力端子から入力されるデジタル音声信号と、前記アナログ音声入力端子から入力されるアナログ音声信号のいずれかの音声信号に対してミューティング処理を行って、他の音声信号に対してはミューティング処理を行わずに出力することが出来るミューティング制御部を有し、
前記ミューティング制御部からのデジタル音声信号及びアナログ音声信号を合成して合成音声信号として前記スイッチング制御部に出力する音声合成部を有し、
前記ミューティング制御部は、音声入力検出部の検出結果に応じて、該音声入力検出部が検出した音声信号以外のデジタル音声信号又はアナログ音声信号を、ミューティング処理して、前記音声合成部に出力することを特徴として構成したＡＶスイッチャー。
【請求項２】
前記ミューティング制御部に対して、前記入力されるアナログ又はデジタル音声信号のどちらを優先して採用すべきかを設定することの出来る設定手段を設け、
前記ミューティング制御部は、前記音声入力検出部がデジタル音声信号及びアナログ音声信号を共に検出した場合には、前記優先して採用すべきと設定された音声信号以外の音声信号に対してミューティング処理を行って、前記優先して採用すべきと設定された音声信号に対してはミューティング処理を行わずに、前記音声合成部に出力することを、特徴として構成した請求項１記載のＡＶスイッチャー。
【請求項３】
前記ミューティング制御部には、前記デジタル音声信号又はアナログ音声信号が優先すべき音声信号として、デフォルト設定されており、
前記ミューティング制御部は、前記音声入力検出部がデジタル音声信号及びアナログ音声信号を共に検出した場合で、前記設定手段により優先して採用すべきと設定された音声信号が無かった場合には、該デフォルト設定された以外の音声信号に対してミューティング処理を行って、前記デフォルト設定された音声信号に対してはミューティング処理を行わずに、前記音声合成部に出力することを、特徴として構成した請求項２記載のＡＶスイッチャー。
【請求項４】
前記ミューティング制御部には、前記デジタル音声信号又はアナログ音声信号が優先すべき音声信号として、デフォルト設定されており、
前記ミューティング制御部は、前記音声入力検出部がデジタル音声信号及びアナログ音声信号を共に検出した場合に、該デフォルト設定された以外の音声信号に対してミューティング処理を行って、前記デフォルト設定された音声信号に対してはミューティング処理を行わずに、前記音声合成部に出力することを、特徴として構成した請求項１記載のＡＶスイッチャー。
【発明の詳細な説明】
【技術分野】
【０００１】
本発明は、複数の映像・音声ソースと一つまたは複数の映像・音声出力機器との間に接続され、映像・音声ソースと映像・音声出力機器との間で画像信号及び音声信号の出力状態を切り替える、ＡＶスイッチャーに関する。
【背景技術】
【０００２】
従来の映像・音声出力機器に入力される映像・音声の信号はアナログ信号であり、例えば教室の教卓などに設置されている映像・音声出力機器のAV外部入力の形態は
映像  →  DSUBコネクタ、コンポジットコネクタ、
音声  →  RCAピンジャック、ミニジャック
であり、扱いも容易であった。
【０００３】
しかし近年は映像・音声出力機器もデジタルのインターフェースが実装されつつあり、デジタルの映像・音声信号が1本のケーブルで伝送可能なHDMIコネクタが普及し始めている。これにより映像・音声出力機器にHDMIが追加される場合が多く見られるようになった。ただし、現状ではHDMIで音声信号を送る場合、映像・音声ソース側（つまり送る側）で設定を必要とする場合があるため、その設定の煩雑さを避けるために、映像信号はデジタルで、音声信号はアナログでそれぞれ入力する場合も考えられる（従来のDVI規格に基づいたシステムはそのような構成であった）。
【０００４】
さて、例えば教卓等に設置されている映像・音声ソースとしてのブルーレイディスク（ＢＤ）プレーヤやＰＣ等は、多くの場合AVスイッチャーに接続され、ＡＶスイッチャーは選択すべき入力チャンネルをそれら映像・音声ソース間で選択的に切換えて、当該選択された映像・音声ソースの映像・音声信号をプロジェクター等の映像・音声出力機器に出力できるようになっている。HDMIの普及により、使用されるAVスイッチャーもHDMIに対応した製品が普及し始めてきた。
【０００５】
このようなAVスイッチャーは、１つの映像・音声ソースが接続される映像・音声入力端子の1系統毎に、HDMI入力端子とアナログ音声入力端子を持ち（１系統であるがコネクタは別）、デジタル音声とアナログ音声のどちらを映像・音声出力機器に出力するかを設定により切換えることができるように構成されている。さらに高機能な装置ではユーザの特別な切り替え操作無しで、デジタル音声信号とアナログ音声信号を適切に切り替え処理することができるものもある。
【０００６】
この種の機器としては、例えば、特許文献１に示すものが知られている。特許文献１には、デジタル音声信号が存在するときは、ＨＤＭＩ端子から入力されるデジタル音声信号を選択してスピーカなど音声信号処理回路に供給できるようにし、デジタル音声信号が存在しないときは、アナログ入力端子からの信号を音声信号処理回路に供給する映像信号受信装置の技術が開示されている。
【先行技術文献】
【特許文献】
【０００７】
【特許文献１】特開2006-19890
【発明の概要】
【発明が解決しようとする課題】
【０００８】
しかし、デジタル／アナログ音声信号を、入力の有無によって切り替えた場合、切り替え時にスイッチングノイズが入ったり、無音状態が生じたりして違和感を与える場合がある。
【０００９】
そこで、本発明は、デジタル／アナログ音声信号を、信号入力の有無によって切り替えた場合でも、切り替え時にスイッチングノイズや無音状態が生じることのない、ＡＶスイッチャーを提供することを目的とする。
【課題を解決するための手段】
【００１０】
本発明の第１の観点によれば、複数の映像・音声ソース（２）と一つまたは複数の映像・音声出力機器（３）の間に出力ケーブル（５）及び入力ケーブル（６）を介して接続配置され、内蔵されたスイッチング制御部（１３）を介して前記映像・音声ソース（２）と映像・音声出力機器（３）を選択的に接続し、前記映像・音声ソース（２）から映像・音声出力機器（３）に対して映像及び音声信号を出力することが出来るＡＶスイッチャー（１）において、
前記ＡＶスイッチャー（１）は、
前記映像・音声ソース（２）が前記入力ケーブル（６）を介して接続される入力部（７）を、複数有し、
前記入力部（７）は、前記入力ケーブル（６）を接続することの出来るデジタル映像・音声入力端子（９）及びアナログ音声入力端子（１０）を有し、
前記デジタル映像・音声入力端子（９）及びアナログ音声入力端子（１０）には、それらのいずれかの端子にデジタル音声信号又はアナログ音声信号が入力された場合に、それらを検出して検出結果を出力することが出来る音声入力検出部（１１）が接続されており、
前記デジタル映像・音声入力端子（９）から入力されるデジタル音声信号と、前記アナログ音声入力端子（１０）から入力されるアナログ音声信号のいずれかの音声信号に対してミューティング処理を行って、他の音声信号に対してはミューティング処理を行わずに出力することが出来るミューティング制御部（１２）を有し、
前記ミューティング制御部（１２）からのデジタル音声信号及びアナログ音声信号を合成して合成音声信号（ＣＳ）として前記スイッチング制御部（１３）に出力する音声合成部（１５）を有し、
前記ミューティング制御部（１２）は、音声入力検出部（１１）の検出結果に応じて、該音声入力検出部（１１）が検出した音声信号以外のデジタル音声信号又はアナログ音声信号を、ミューティング処理して、前記音声合成部（１５）に出力することを特徴として構成される。
【００１１】
本発明の第２の観点によれば、前記ミューティング制御部（１２）に対して、前記入力されるアナログ又はデジタル音声信号のどちらを優先して採用すべきかを設定することの出来る設定手段（キーボードやオンスクリーンメニューなど）を設け、
前記ミューティング制御部（１２）は、前記音声入力検出部（１１）がデジタル音声信号及びアナログ音声信号を共に検出した場合には、前記優先して採用すべきと設定された音声信号以外の音声信号に対してミューティング処理を行って、前記優先して採用すべきと設定された音声信号に対してはミューティング処理を行わずに、前記音声合成部（１５）に出力することを、特徴として構成される。
【００１２】
本発明の第３の観点によれば、前記ミューティング制御部（１２）には、前記デジタル音声信号又はアナログ音声信号が優先すべき音声信号として、デフォルト設定されており、
前記ミューティング制御部（１２）は、前記音声入力検出部（１１）がデジタル音声信号及びアナログ音声信号を共に検出した場合で、前記設定手段により優先して採用すべきと設定された音声信号が無かった場合には、該デフォルト設定された以外の音声信号に対してミューティング処理を行って、前記デフォルト設定された音声信号に対してはミューティング処理を行わずに、前記音声合成部（１５）に出力することを、特徴として構成される。
【００１３】
本発明の第４の観点によれば、前記ミューティング制御部には、前記デジタル音声信号又はアナログ音声信号が優先すべき音声信号として、デフォルト設定されており、
前記ミューティング制御部は、前記音声入力検出部がデジタル音声信号及びアナログ音声信号を共に検出した場合に、該デフォルト設定された以外の音声信号に対してミューティング処理を行って、前記デフォルト設定された音声信号に対してはミューティング処理を行わずに、前記音声合成部（１５）に出力することを、特徴として構成される。
【発明の効果】
【００１４】
本発明によれば、ミューティング制御部（１２）で音声入力検出部（１１）が検出した音声信号以外のデジタル音声信号又はアナログ音声信号を、ミューティング処理し、音声合成部（１５）で、それらを合成して合成音声信号ＣＳとすることで、機械的なスイッチング動作を用いること無く、デジタル／アナログ音声信号を切り替えることが出来るので、切り替え時にスイッチングノイズや無音状態が生じることが未然に防止され、違和感の無いＡＶスイッチャーの提供が可能となる。
【００１５】
また、設定手段により、優先採用すべき音声信号を設定しておくことが出来るので、音声入力検出部（１１）がデジタル音声信号及びアナログ音声信号を共に検出した場合でも、適切な制御が可能となる。
【００１６】
優先採用すべき音声信号をデフォルト設定しておくことで、音声入力検出部（１１）がデジタル音声信号及びアナログ音声信号を共に検出した場合にも、適切に対応することが出来る。
【００１７】
なお、括弧内の番号等は、図面における対応する要素を示す便宜的なものであり、従って、本記述は図面上の記載に限定拘束されるものではない。
【図面の簡単な説明】
【００１８】
【図１】図１は、本発明が適用されるＡＶスイッチャーの接続例を示すブロック図。
【図２】図２は、ＡＶスイッチャーの入力部の一例を示すブロック図である。
【発明を実施するための形態】
【００１９】
以下、図面に基づき、本発明の実施例を説明する。
【００２０】
ＡＶスイッチャー１には、図１に示すように、パーソナルコンピュータやブルーレイディスク再生装置、ＤＶＤ再生装置など複数の映像・音声ソース２が接続されており、また、プロジェクター、プラズマディスプレイ（図１ではＰＤＰｎ：ｎ＝１．２．…と表示）、液晶ディスプレイ等の複数の映像・音声出力機器３が接続している。ＡＶスイッチャー１は、複数の映像・音声ソース２と一つまたは複数の映像・音声出力機器３とを、内蔵されたスイッチング制御部１３の切り替えスイッチを操作することで、選択的又は重複して相互に接続し、任意の映像・音声出力機器３に、任意の映像・音声ソース２の映像及び音声信号を出力することができる。また、ＡＶスイッチャー１と映像・音声出力機器３の間は、ＨＤＭＩケーブル、ＤＶＩケーブル、アナログ音声ケーブルなどの出力ケーブル５により接続されており、ＡＶスイッチャー１からは、デジタル映像信号、デジタル音声信号及びアナログ音声信号を、出力ケーブル５を介して各映像・音声出力機器３に出力することができる。
【００２１】
また、ＡＶスイッチャー１と各映像・音声ソース２との間も、ＨＤＭＩケーブル、ＤＶＩケーブル、アナログ音声ケーブルなどの入力ケーブル６により、接続されており、各映像・音声ソース２からはＡＶスイッチャー１へ、デジタル映像信号、デジタル音声信号及びアナログ音声信号を、入力ケーブル６を介して出力することができる。
【００２２】
ＡＶスイッチャー１には、各映像・音声ソース２からの信号が入力ケーブル６を介して入力される入力部７が複数設けられており、各入力部７は、図２に示すように、デジタル映像信号又はデジタル映像及びデジタル音声信号が入力されるデジタル映像・音声入力端子９が設けられている。このデジタル映像・音声入力端子９は、ＨＤＭＩ端子やＤＶＩ端子から構成されており、更に、各入力部７には、アナログ音声信号が入力されるアナログ音声入力端子１０が設けられている。アナログ音声入力端子１０は，ＲＣＡピンジャックやミニジャックなどから構成されており、更に、デジタル映像・音声入力端子９とアナログ音声入力端子１０は、音声入力検出部１１に接続されている。また、音声入力検出部１１には、ミューティング制御部１２を介して音声合成部１５が接続しており、各入力部７の音声合成部１５及びデジタル映像・音声入力端子９は、図１に示すように、スイッチング制御部１３に接続されている。
【００２３】
スイッチング制御部１３は、内蔵された図示しないスイッチ回路を介して、各入力部７のデジタル映像信号とデジタル音声信号及び／又はアナログ音声信号を、１個以上の映像・音声出力機器３に出力ケーブル５を介して出力することができる。出力ケーブル５は、入力ケーブル６と同様に、ＨＤＭＩケーブル、ＤＶＩケーブル、アナログ音声信号用ケーブルなど、１本以上のケーブルから構成されている。
【００２４】
ＡＶスイッチャー１等は、以上のような構成を有するので、ＡＶスイッチャー１を用いて、該ＡＶスイッチャー１に接続された一つまたは複数の映像・音声出力機器３に、各映像・音声ソース２からの映像・音声を出力する際には、各映像・音声ソース２とＡＶスイッチャー１の入力部７の間を、入力ケーブル６で接続するが、その際、各映像・音声ソース２の出力仕様に合わせて、各映像・音声ソース２の映像及び音声を伝送するケーブルを接続する。この際、映像・音声ソース２を接続するユーザは、当該映像・音声ソース２の音声信号の出力仕様がデジタルかアナログかを、判断する必要は無く、とりあえず、映像・音声ソース２の映像・音声信号の出力端子とＡＶスイッチャー１の未だ入力ケーブル６が接続されていない入力部７とを入力ケーブル６を構成する１本以上のケーブルで接続する。例えば、ある映像・音声ソース２と入力部７を、ＨＤＭＩケーブルと、ピンジャックケーブルで接続したり、ＤＶＩケーブルとＲＣＡピンジャックケーブルで接続したりする。
【００２５】
すると、ＡＶスイッチャー１の各入力部７には、各映像・音声ソース２からデジタル映像・音声入力端子９とアナログ音声入力端子１０の両方にそれぞれ音声信号用ケーブルが接続されたり、また、デジタル映像・音声入力端子９にのみデジタル音声信号用ケーブル（ＨＤＭＩケーブル）が接続されたり、更には、アナログ音声入力端子１０のみに、アナログ音声信号用ケーブル（ピンジャックケーブル）が接続されたりすることとなる。なお、映像信号は、全てＨＤＭＩケーブル又はＤＶＩケーブルによるデジタル映像信号とする。
【００２６】
使用に当たっては、各映像・音声ソース２からは、入力ケーブル６を介して、デジタル映像信号及びデジタル音声信号及び／又はアナログ音声信号がＡＶスイッチャー１の対応する入力部７に入力されるが、この際、各入力部７の音声入力検出部１１は、デジタル映像・音声入力端子９及びアナログ音声入力端子１０における、音声信号の入力状態を監視し、いずれかの信号が入力端子９又は１０に入力された時点で、ミューティング制御部１２に対して、その旨、通知する。ミューティング制御部１２に対しては、ＡＶスイッチャー１の図示しないキーボードやオンスクリーンメニューなどの入力手段を介して、入力されるアナログ又はデジタル音声信号のどちらを優先して採用すべきかを、オペレータが設定することができるように構成されている。
【００２７】
音声入力検出部１１は、デジタル音声信号については、デジタル映像・音声入力端子９から入力される信号から音声パケットの有無や、クロック信号の有無、音声データレベルを検出することで検出することができ、アナログ音声信号については、アナログ音声入力端子１０から入力される信号から音声レベルを検出することで可能である。音声入力検出部１１でデジタル音声信号又はアナログ音声信号が検出されると、その検出結果をミューティング制御部１２に出力し、ミューティング制御部１２は、その検出結果に応じて、音声入力検出部１１を介して入力されるデジタル音声信号及び／又はアナログ音声信号のうち、いずれかをミューティングする制御を行う。
【００２８】
即ち、ミューティング制御部１２には、デジタル映像・音声入力端子９及びアナログ音声入力端子１０からの音声信号（入力）がそのまま入力されるように構成されており、デジタル映像・音声入力端子９及び／又はアナログ音声入力端子１０に音声信号が入力されれば、そのまま音声入力検出部１１を介してミューティング制御部１２に入力される構成となっている。
【００２９】
ミューティング制御部１２は、音声入力検出部１１からの検出結果に応じて、
（ａ）デジタル音声信号が検出された場合：ミューティング制御部１２に入力されるデジタル音声信号及びアナログ音声信号のうち、アナログ音声信号に対してミューティングを掛け、デジタル音声信号はミューティング処理を行わず、そのまま音声合成部１５に出力する、
（ｂ）アナログ音声信号が検出された場合：ミューティング制御部１２に入力されるデジタル音声信号及びアナログ音声信号のうち、アナログ音声信号はミューティング処理を行わず、そのまま音声合成部１５に出力し、デジタル音声信号に対してミューティングを掛ける、
制御を行う。この際のミューティング動作（処理）は、図２に示すように、ミューティング対象の音声信号に対して、デジタル又はアナログ音声信号の検出を示す音声検出信号がミューティング制御部１２に入力された時点Ｔ１から、所定時間ｔ（例えば、０．５秒）を掛けて、時点Ｔ２までの間で行われる。
【００３０】
具体的には、対象音声信号、即ち、音声入力検出部１１で検出された音声信号以外の音声信号について、それまでのミューティング制御部１２に入力される音声信号に対して何らのミューティング処理も行わないＭａｘ状態から、ミューティング制御部１２に入力された音声信号を完全に制限して音声合成部１５に出力しない、Ｍｉｎ状態にまで、徐々にその出力ＰＷを変化させる制御（ミューティング処理）を行う。これにより、所定時間ｔの後には、音声入力検出部１１で検出された音声入力のみが、そのままの状態で音声合成部１５に出力されることになる。
【００３１】
すると、それまでミューティング制御部１２を通って音声合成部１５にミューティングされること無く出力されていたデジタル音声信号及びアナログ音声信号は、音声入力検出部１１で検出された音声信号だけが、そのままの状態、即ち、ミューティングされない状態で、音声合成部１５に出力され、検出されなかった音声信号に関してのみ、その出力ＰＷがミューティングされて、音声合成部１５に出力される。音声合成部１５には、それら(1)ミューティングされない状態の音声信号（デジタル音声信号又はアナログ音声信号）と、(2)ミューティング制御部１２でミューティング処理された音声信号（アナログ音声信号又はデジタル音声信号）の両方が入力されるが、音声合成部１５では、それらデジタル音声信号及びアナログ音声信号を同期化回路などの公知の手法を用いて合成し、合成音声信号ＣＳとして、スイッチング制御部１３に出力する。音声合成部１５は、デジタル音声信号又はアナログ音声信号のどちらかにミューティング制御部１２によるミューティング処理が施されつつある処理状態中ＰＲ（図２参照）であっても、ミューティング処理が施されていない音声信号をミューティング処理中の音声信号と合成して合成音声信号ＣＳとして出力することが出来るので、合成音声信号ＣＳには、スイッチングノイズや切り替えに伴う無音状態などが生じることはない。これにより、スイッチング制御部１３には、ミューティング処理が施された音声信号とミューティング処理が施されていない音声信号を合成した合成音声信号ＣＳが出力されることとなる。スイッチング制御部１３では、対応する入力部７について設定された接続先の映像・音声出力機器３に対してデジタル映像信号と音声合成部１５で合成された合成音声信号ＣＳを出力する。
【００３２】
ミューティング制御部１２によるミューティング動作は、機械的なスイッチング動作ではなく、該当する音声信号の出力を、所定時間を掛けて電気的に減少させる形で行われるので、不快なスイッチングノイズの発生が防止されるばかりか、仮に、後述するように、デジタル映像・音声入力端子９及びアナログ音声入力端子１０の両方からデジタル音声信号及びアナログ音声信号が入力されてきた場合でも、ミューティング制御（処理）の対象となるデジタル音声信号又はアナログ音声信号の出力がなめらかに減少される形で絞られ、ミューティング対象とならない音声信号は、そのまま音声合成部１５に出力され、合成音声信号ＣＳとしてスイッチング制御部１３に出力されるので、スイッチング制御部１３、従って、各映像・音声出力機器３に出力される音声信号が途切れてしまうようなことが無く、違和感のない音声信号の切り替え動作が可能となる。
【００３３】
ところで、映像・音声ソース２の仕様やＡＶスイッチャー１への接続態様により、映像・音声ソース２から、デジタル映像・音声入力端子９及びアナログ音声入力端子１０にデジタル音声信号及びアナログ音声信号が共に、入力される状態が生じる場合がある。こうした場合には、音声入力検出部１１は、デジタル音声信号及びアナログ音声信号の両方の入力を検出することとなる。
（ｃ）デジタル音声信号及びアナログ音声信号が共に検出された場合：オペレータが設定した優先すべき音声信号をそのまま音声合成部１５に出力し、それ以外の音声信号に対してミューティングを掛ける処理を行って、音声合成部１５で合成音声信号ＣＳを生成する。これにより、オペレータが設定したデジタル音声信号又はアナログ音声信号はミューティング処理が施されない状態で、音声合成部１５に出力され、それ以外のアナログ音声信号又はデジタル音声信号はミューティング処理が施されて、音声合成部１５に出力されて、合成音声信号ＣＳが生成される。
【００３４】
なお、デジタル音声信号及びアナログ音声信号が共に検出された場合で、オペレータによる優先すべき音声信号の設定が無かった場合には、ミューティング制御部１２の適宜なメモリに優先すべき音声信号としてデフォルト設定されたデジタル音声信号又はアナログ音声信号が優先され、ミューティング処理が施されること無く音声合成部１５に出力され、それ以外のアナログ音声信号又はデジタル音声信号に対してミューティング処理が行われる。
【符号の説明】
【００３５】
１…ＡＶスイッチャー
２…映像・音声ソース
３…映像・音声出力機器
５…出力ケーブル
６…入力ケーブル
７…入力部
９…デジタル映像・音声入力端子
１０…アナログ音声入力端子
１１…音声入力検出部
１２…ミューティング制御部
１３…スイッチング制御部
１５…音声合成部
【図１】
2014017722.tif 000003
【図２】
2014017722.tif 000004